(57)【要約】【課題】転がり軸受を小型化することができ、且つ回転軸のモーメント剛性が高い歯科エアタービン用軸受ユニット及び歯科エアタービンを提供する。【解決手段】歯科エアタービン１０は、タービンブレード１２と、タービンブレード１２が一体固定される回転軸１１と、ハウジング１５に対して回転軸１１を回転自在に支持する一対の転がり軸受１３，１４とを備え、一対の転がり軸受１３，１４は、予圧が付与されるように各内輪２３，２４を回転軸１１に嵌合して、背面組合せで配置される。【選択図】図１
2015087013.tif 000002
【特許請求の範囲】
【請求項１】
タービンブレードと、前記タービンブレードが一体固定され、一端に歯科処置工具を取り付け可能な回転軸と、ハウジングに対して前記回転軸を回転自在に支持する一対の転がり軸受と、を備える歯科エアタービンであって、
前記一対の転がり軸受は、予圧が付与されるように前記一対の転がり軸受の各内輪を前記回転軸に嵌合して、背面組合せで配置されることを特徴とする歯科エアタービン。
【請求項２】
前記一対の転がり軸受の各外輪の対向する側面は、前記ハウジングに設けられた段部と当接し、
前記一対の転がり軸受の各内輪は、定位置予圧が付与されるように、前記回転軸に嵌合固定されることを特徴とする請求項１に記載の歯科エアタービン。
【請求項３】
前記一対の転がり軸受の各外輪の対向する側面と、各内輪の軸方向外側面の少なくとも一か所には、前記一対の転がり軸受に定圧予圧が付与されるように、ばね部材が当接していることを特徴とする請求項１に記載の歯科エアタービン。
【請求項４】
前記一対の転がり軸受の各外輪の対向する側面と、前記ハウジングに設けられた段部との間にばね部材がそれぞれ配置され、
前記一対の転がり軸受の各内輪は、定圧予圧が付与されるように、前記回転軸に嵌合固定されることを特徴とする請求項３に記載の歯科エアタービン。
【請求項５】
前記一対の転がり軸受の各外輪の対向する側面は、前記ハウジングに設けられた段部と当接し、
前記一対の転がり軸受の各内輪は、定圧予圧が付与されるように、該各内輪の軸方向外側面と、前記回転軸に固定される固定リングとの間にばね部材をそれぞれ配置した状態で前記回転軸に嵌合されることを特徴とする請求項３に記載の歯科エアタービン。
【請求項６】
タービンブレードと、前記タービンブレードが一体固定され、一端に歯科処置工具を取り付け可能な回転軸と、ハウジングに対して前記回転軸を回転自在に支持する一対の転がり軸受と、を備える歯科エアタービン用軸受ユニットであって、
前記一対の転がり軸受は、予圧が付与されるように、前記一対の転がり軸受の各外輪間にスペース部材を配置し、各内輪を前記回転軸に嵌合して、背面組合せで配置されることを特徴とする歯科エアタービン用軸受ユニット。
【請求項７】
前記一対の転がり軸受の各外輪の対向する側面は、前記スペース部材の軸方向側面と当接し、
前記一対の転がり軸受の各内輪は、定位置予圧が付与されるように、前記回転軸に嵌合固定されることを特徴とする請求項６に記載の歯科エアタービン用軸受ユニット。
【請求項８】
前記一対の転がり軸受の各外輪の対向する側面と、各内輪の軸方向外側面の少なくとも一か所には、前記一対の転がり軸受に定圧予圧が付与されるように、ばね部材が当接していることを特徴とする請求項７に記載の歯科エアタービン用軸受ユニット。
【請求項９】
前記一対の転がり軸受の各外輪の対向する側面と、前記スペース部材の軸方向側面との間にばね部材がそれぞれ配置され、
前記一対の転がり軸受の各内輪は、定圧予圧が付与されるように、前記回転軸に嵌合固定されることを特徴とする請求項８に記載の歯科エアタービン用軸受ユニット。
【請求項１０】
前記一対の転がり軸受の各外輪の対向する側面は、前記スペース部材の軸方向側面と当接し、
前記一対の転がり軸受の各内輪は、定圧予圧が付与されるように、該各内輪の軸方向外側面と、前記回転軸に固定される固定リングとの間にばね部材をそれぞれ配置した状態で前記回転軸に嵌合されることを特徴とする請求項８に記載の歯科エアタービン用軸受ユニット。
【請求項１１】
少なくとも一方の前記外輪の外径は、前記タービンブレードの外径より大きく、
前記スペース部材は、前記ハウジングに固定され、前記タービンブレードにエアを供給する給気孔部と、前記エアを排出する排気孔部と、内径側に前記外輪の側面に対向する段部とを有するスリーブであることを特徴とする請求項６〜１０のいずれか１項に記載の歯科エアタービン用軸受ユニット。
【請求項１２】
前記タービンブレードは、前記一対の転がり軸受に対して軸方向外側に配置され、
前記一対の転がり軸受の外輪の外径は、前記タービンブレードの外径より小さく、
前記スペース部材は、前記ハウジングに固定され、前記タービンブレードにエアを供給する給気孔部と、前記エアを排出する排気孔部と、内径側に前記外輪の側面に対向する段部とを有するスリーブであることを特徴とする請求項６〜１０のいずれか１項に記載の歯科エアタービン用軸受ユニット。
【請求項１３】
少なくとも一方の前記外輪の外径は、前記タービンブレードの外径より大きく、
前記スペース部材は、前記タービンブレードにエアを供給する給気孔部と、前記エアを排出する排気孔部と、を有し、前記一対の外輪間に配置される外輪間座であることを特徴とする請求項６〜１０のいずれか１項に記載の歯科エアタービン用軸受ユニット。
【請求項１４】
請求項６〜１３のいずれか１項に記載の前記歯科エアタービン用軸受ユニットを備え、前記スリーブの外周又は前記外輪の外周に配置された弾性部材を介して前記ハウジングに固定されることを特徴とする歯科エアタービン。
【発明の詳細な説明】
【技術分野】
【０００１】
本発明は、歯科エアタービン用軸受ユニット及び歯科エアタービンに関し、より詳細には、歯科ハンドピースの一形態としてエアを駆動源とする歯科エアタービン用軸受ユニット及び歯科エアタービンに関する。
【背景技術】
【０００２】
図１８に示すように、歯科エアタービンハンドピース１２０は、グリップ部１２１と、このグリップ部１２１の先端部に設けられたヘッド部１２２とを備え、術者はこのグリップ部１２１を持って例えば歯牙の切削加工を行う。
従来、ヘッド部１２２を構成する歯科エアタービン１００としては、図１９に示すように、不図示の歯科処置工具が取り付けられる回転軸１０１と、圧縮空気によって回転軸１０１を回転駆動するためのタービンブレード１０２と、回転軸１０１を回転可能に支承する一対の玉軸受１０３，１０４とを備え、これらがヘッドハウジング１０５内に配設されている。一対の玉軸受１０３，１０４の外輪１０６，１０７は、ヘッドハウジング１０５の環状凹部１０９，１１０に装着されたゴム製リング１０８を介して支持されている。下方の玉軸受１０４の外輪１０７は、スプリングワッシャ１１１により上方に付勢されて一対の玉軸受１０３，１０４に予圧が付与されている。即ち、この回転軸１０１を支承する一対の玉軸受１０３，１０４は、正面組合せされると共に、スプリングワッシャ１１１の弾性力による定圧予圧が付与されている（例えば、特許文献１参照。）。
【先行技術文献】
【特許文献】
【０００３】
【特許文献１】特開平１１−３７１６２号公報
【発明の概要】
【発明が解決しようとする課題】
【０００４】
特許文献１に開示されている歯科エアタービン１００によると、一対の玉軸受１０３，１０４を正面組合せで配置し、ヘッドハウジング１０５にすきま嵌めで嵌合する外輪１０７の端面をスプリングワッシャ１１１で押圧して予圧を付与している。正面組合せされた一対の玉軸受１０３，１０４は、作用点間距離が短く、モーメント荷重に対する負荷能力が必ずしも高くないことから、歯科治療時などで回転軸１０１の先端にラジアル荷重が作用すると、回転軸１０１が傾きやすい。このため、正面組合せされた一対の玉軸受１０３，１０４を用いてモーメント荷重に対する負荷能力を確保するには、軸受サイズが大きくなるという課題があった。
【０００５】
本発明は、前述した課題に鑑みてなされたものであり、その目的は、転がり軸受を小型化することができ、且つ回転軸のモーメント剛性が高い歯科エアタービン用軸受ユニット及び歯科エアタービンを提供することにある。
【課題を解決するための手段】
【０００６】
本発明の上記目的は、下記の構成により達成される。
（１）  タービンブレードと、タービンブレードが一体固定され、一端に歯科処置工具を取り付け可能な回転軸と、ハウジングに対して回転軸を回転自在に支持する一対の転がり軸受と、を備える歯科エアタービンであって、一対の転がり軸受は、予圧が付与されるように一対の転がり軸受の各内輪を回転軸に嵌合して、背面組合せで配置されることを特徴とする歯科エアタービン。
（２）  一対の転がり軸受の各外輪の対向する側面は、ハウジングに設けられた段部と当接し、
前記一対の転がり軸受の各内輪は、定位置予圧が付与されるように、前記回転軸に嵌合固定されることを特徴とする（１）に記載の歯科エアタービン。
（３）  前記一対の転がり軸受の各外輪の対向する側面と、各内輪の軸方向外側面の少なくとも一か所には、前記一対の転がり軸受に定圧予圧が付与されるように、ばね部材が当接していることを特徴とする（１）に記載の歯科エアタービン。
（４）  前記一対の転がり軸受の各外輪の対向する側面と、前記ハウジングに設けられた段部との間にばね部材がそれぞれ配置され、
前記一対の転がり軸受の各内輪は、定圧予圧が付与されるように、前記回転軸に嵌合固定されることを特徴とする（３）に記載の歯科エアタービン。
（５）  前記一対の転がり軸受の各外輪の対向する側面は、前記ハウジングに設けられた段部と当接し、
前記一対の転がり軸受の各内輪は、定圧予圧が付与されるように、該各内輪の軸方向外側面と、前記回転軸に固定される固定リングとの間にばね部材をそれぞれ配置した状態で前記回転軸に嵌合されることを特徴とする（３）に記載の歯科エアタービン。
（６）  タービンブレードと、タービンブレードが一体固定され、一端に歯科処置工具を取り付け可能な回転軸と、ハウジングに対して回転軸を回転自在に支持する一対の転がり軸受と、を備える歯科エアタービン用軸受ユニットであって、一対の転がり軸受は、予圧が付与されるように、一対の転がり軸受の各外輪間にスペース部材を配置し、各内輪を回転軸に嵌合して、背面組合せで配置されることを特徴とする歯科エアタービン用軸受ユニット。
（７）  前記一対の転がり軸受の各外輪の対向する側面は、前記スペース部材の軸方向側面と当接し、
前記一対の転がり軸受の各内輪は、定位置予圧が付与されるように、前記回転軸に嵌合固定されることを特徴とする（６）に記載の歯科エアタービン用軸受ユニット。
（８）  前記一対の転がり軸受の各外輪の対向する側面と、各内輪の軸方向外側面の少なくとも一か所には、前記一対の転がり軸受に定圧予圧が付与されるように、ばね部材が当接していることを特徴とする（７）に記載の歯科エアタービン用軸受ユニット。
（９）  前記一対の転がり軸受の各外輪の対向する側面と、前記スペース部材の軸方向側面との間にばね部材がそれぞれ配置され、
前記一対の転がり軸受の各内輪は、定圧予圧が付与されるように、前記回転軸に嵌合固定されることを特徴とする（８）に記載の歯科エアタービン用軸受ユニット。
（１０）  前記一対の転がり軸受の各外輪の対向する側面は、前記スペース部材の軸方向側面と当接し、
前記一対の転がり軸受の各内輪は、定圧予圧が付与されるように、該各内輪の軸方向外側面と、前記回転軸に固定される固定リングとの間にばね部材をそれぞれ配置した状態で前記回転軸に嵌合されることを特徴とする（８）に記載の歯科エアタービン用軸受ユニット。
（１１）  少なくとも一方の外輪の外径は、タービンブレードの外径より大きく、スペース部材は、ハウジングに固定され、タービンブレードにエアを供給する給気孔部と、エアを排出する排気孔部と、内径側に外輪の側面に当接する段部とを有するスリーブであることを特徴とする（６）〜（１０）のいずれかに記載の歯科エアタービン用軸受ユニット。（１２）  前記タービンブレードは、前記一対の転がり軸受に対して軸方向外側に配置され、
前記一対の転がり軸受の外輪の外径は、前記タービンブレードの外径より小さく、
前記スペース部材は、前記ハウジングに固定され、前記タービンブレードにエアを供給する給気孔部と、前記エアを排出する排気孔部と、内径側に前記外輪の側面に対向する段部とを有するスリーブであることを特徴とする（６）〜（１０）のいずれかに記載の歯科エアタービン用軸受ユニット。
（１３）  少なくとも一方の外輪の外径は、タービンブレードの外径より大きく、スペース部材は、タービンブレードにエアを供給する給気孔部と、エアを排出する排気孔部と、を有し、一対の外輪間に配置される外輪間座であることを特徴とする（６）〜（１０）のいずれかに記載の歯科エアタービン用軸受ユニット。
（１４）  （６）〜（１３）のいずれかに記載の歯科エアタービン用軸受ユニットを備え、スリーブの外周又は外輪の外周に配置された弾性部材を介してハウジングに固定されることを特徴とする歯科エアタービン。
【発明の効果】
【０００７】
本発明の歯科エアタービンによれば、一対の転がり軸受は、予圧が付与されるように一対の転がり軸受の各内輪を回転軸に固定して、背面組合せで配置されるため、従来と同じサイズの軸受であれば、一対の転がり軸受に予圧を付与して回転軸のモーメント荷重に対する負荷能力を向上させることができる。また、サイズの小さな転がり軸受により従来の軸受サイズと同じモーメント剛性が得ることが可能となることから、エアタービンの操作性や機能を現状維持したままタービンヘッドの小型化が可能となる。これにより、歯科エアタービンを扱う歯科医の操作力を正確に回転軸に伝達することができ、歯科エアタービンの操作性が向上する。
【０００８】
また、本発明の歯科エアタービン及び歯科エアタービン用軸受ユニットによれば、一対の転がり軸受は、予圧が付与されるように、一対の転がり軸受の各外輪間にスペース部材を配置し、各内輪を回転軸に固定して、背面組合せで配置されるため、サイズの小さな転がり軸受により従来の軸受サイズと同じモーメント剛性が得られることが可能となることから、エアタービンの操作性や機能を現状維持したままタービンヘッドの小型化が可能となる。また、従来と同様なサイズの軸受であっても、一対の転がり軸受に予圧を付与して回転軸のモーメント荷重に対する負荷能力を向上させることができる。さらに、タービンブレードを有する回転軸と一対の転がり軸受とをユニット化することができ、歯科エアタービンのハウジングに容易に組み付けることができる。
【図面の簡単な説明】
【０００９】
【図１】本発明の第１実施形態に係る歯科エアタービンの要部半断面図である。
【図２】（ａ）は本発明の第１実施形態の第１変形例に係る歯科エアタービン用軸受ユニットの要部半断面図であり、（ｂ）は本発明の第１実施形態の第２変形例に係る歯科エアタービン用軸受ユニットの要部半断面図である。
【図３】（ａ）は本発明の第１実施形態の第３変形例に係る歯科エアタービン用軸受ユニットの要部半断面図であり、（ｂ）は本発明の第１実施形態の第４変形例に係る歯科エアタービン用軸受ユニットの要部半断面図である。
【図４】本発明の第１実施形態の第５変形例に係る歯科エアタービン用軸受ユニットの要部半断面図である。
【図５】（ａ）は本発明の第２実施形態に係る歯科エアタービン用軸受ユニットの要部半断面図、（ｂ）は歯科エアタービン用軸受ユニットがハウジングに組み込まれる状態を示す要部半断面図である。
【図６】図５のタービンブレードが位置する軸方向位置での概略断面図である。
【図７】本発明の第２実施形態の第１変形例に係る歯科エアタービン用軸受ユニットの要部半断面図である。
【図８】（ａ）は本発明の第２実施形態の第２変形例に係る歯科エアタービン用軸受ユニットの要部半断面図であり、（ｂ）は本発明の第２実施形態の第３変形例に係る歯科エアタービン用軸受ユニットの要部半断面図である。
【図９】本発明の第２実施形態の第４変形例に係る歯科エアタービン用軸受ユニットの要部半断面図である。
【図１０】（ａ）は本発明の第２実施形態の第５変形例に係る歯科エアタービン用軸受ユニットの要部半断面図であり、（ｂ）は本発明の第２実施形態の第６変形例に係る歯科エアタービン用軸受ユニットの要部半断面図である。
【図１１】本発明の第２実施形態の第７変形例に係る歯科エアタービン用軸受ユニットの要部半断面図である。
【図１２】（ａ）は本発明の第２実施形態の第８変形例に係る歯科エアタービン用軸受ユニットの要部半断面図であり、（ｂ）は本発明の第２実施形態の第９変形例に係る歯科エアタービン用軸受ユニットの要部半断面図である。
【図１３】（ａ）は本発明の第２実施形態の第１０変形例に係る歯科エアタービン用軸受ユニットの要部半断面図であり、（ｂ）は本発明の第２実施形態の第１１変形例に係る歯科エアタービン用軸受ユニットの要部半断面図である。
【図１４】本発明の第２実施形態の第１２変形例に係る歯科エアタービン用軸受ユニットの要部半断面図である。
【図１５】本発明の第３実施形態に係る歯科エアタービン用軸受ユニットの要部半断面図である。
【図１６】（ａ）は本発明の第３実施形態の第１変形例に係る歯科エアタービン用軸受ユニットの要部半断面図であり、（ｂ）は本発明の第３実施形態の第２変形例に係る歯科エアタービン用軸受ユニットの要部半断面図である。
【図１７】本発明の第３実施形態の第３変形例に係る歯科エアタービン用軸受ユニットの要部半断面図である。
【図１８】一般的な歯科エアタービンハンドピースを示す概略側面図である。
【図１９】従来の歯科エアタービンの要部断面図である。
【発明を実施するための形態】
【００１０】
以下、本発明に係る歯科エアタービン用軸受ユニット及び歯科エアタービンの各実施形態について、図面に基づいて詳細に説明する。なお、図１〜図１７は、歯科エアタービンの下部（工具側）が左方、上部（反工具側）が右方となるように示している。
【００１１】
（第１実施形態）
図１は本実施形態の歯科エアタービンの要部断面図である。歯科エアタービン１０は、一端に不図示の歯科処置工具を取り付け可能な回転軸１１と、回転軸１１の略中央に固定され、圧縮空気によって回転軸１１を回転駆動するタービンブレード１２と、回転軸１１を回転自在に支持する下部転がり軸受（深溝玉軸受）１３及び上部転がり軸受（深溝玉軸受）１４と、を備え、これらがハウジング１５内に収容されている。タービンブレード１２は、下部転がり軸受１３と上部転がり軸受１４との間に配置されて回転軸１１に固定されている。ハウジング１５は、下部側の第１ハウジング１６、及び中間の第２ハウジング１７が組み合わされた構成を有し、第２ハウジング１７には上方からキャップ１８が組み付けられる。なお、図１は、要部半断面図であるので、ハウジング１６は、ハンドピースのグリップ部に向けて延びる接続部側の部分を図示省略している。
【００１２】
下部転がり軸受１３及び上部転がり軸受１４は、それぞれ外輪２１，２２と、内輪２３，２４と、外内輪２１，２２及び２３，２４間に転動自在に配設された複数の玉（転動体）２５，２６と、円環部が軸方向内側に位置するように配置されて、複数の玉２５，２６を保持する冠型保持器２７，２８と、外輪２１，２２の軸方向外側に配置されたシール部材２９，３０と、を備える。
【００１３】
下部転がり軸受１３の外輪２１は、第１ハウジング１６の軸受孔３１に軽圧入や接着などにより内嵌され、外輪２１の内側面２１ａが、軸受孔３１から径方向内側に突出して形成されたリブ（段部）３２に当接している。また、内輪２３は、軸方向（図１において左方向）から予圧が付与された状態で、回転軸１１に軽圧入や接着などにより固定されている。
【００１４】
上部転がり軸受１４の外輪２２は、第２ハウジング１７に軽圧入や接着などにより内嵌され、外輪２２の内側面２２ａが、第２ハウジング１７の軸受孔３３から径方向内側に突出して形成されたリブ（段部）３４に当接している。また、内輪２４は、軸方向（図１において右方向）から予圧が付与された状態で、回転軸１１に軽圧入や接着などにより固定されている。
【００１５】
即ち、下部転がり軸受１３及び上部転がり軸受１４は、定位置予圧の方法で、背面組合せの方向に予圧が付与されている。下部転がり軸受１３及び上部転がり軸受１４を背面組合せとすることにより、従来と同じ軸受サイズであれば作用点間距離Ｌを長くとることができ、これにより、回転軸１１のモーメント剛性が高くなる。なお、外輪２１，２２は、従来と同様に、すきま嵌めや、Ｏリングを介して軸受孔３１，３３に固定されてもよい。
【００１６】
なお、ハウジング１５、即ち、第１ハウジング１６には、タービンブレード１２に圧縮空気を供給し、排出するための不図示の給気通路及び排気通路が設けられ、給気通路から供給される圧縮空気によりタービンブレード１２、即ち回転軸１１が３０万〜５０万ｒｐｍで回転駆動される。
【００１７】
このように構成された本実施形態の歯科エアタービン１０によれば、下部転がり軸受１３及び上部転がり軸受１４は、予圧が付与されるように下部転がり軸受１３及び上部転がり軸受１４の各内輪２３，２４を回転軸１１に嵌合して、背面組合せで配置されるため、作用点間距離Ｌを長くとることができ、歯科処置工具が一端に取り付けられる回転軸１１のモーメント剛性を高めることができる。
【００１８】
これにより、従来の正面組合せ軸受と比較して、各外輪２１，２２の外径を略３０％小さくしても従来と同等レベルのモーメント剛性を確保することができ、歯科エアタービン１０の小型化が可能となる。また、歯科医の操作力を回転軸１１に正確に伝達することができ、歯科エアタービン１０の操作性が向上する。
【００１９】
また、下部転がり軸受１３及び上部転がり軸受１４の各外輪２１，２２の対向する内側面２１ａ，２２ａは、第１及び第２ハウジング１６，１７に設けられたリブ３２，３４と当接させ、各内輪２３，２４は、回転軸１１に嵌合固定されるため、簡単な構成で、背面組合せされた一対の下部転がり軸受１３及び上部転がり軸受１４に定位置予圧を付与することができる。
【００２０】
なお、上記実施形態では、下部転がり軸受１３及び上部転がり軸受１４は、背面組合せで配置され、定位置予圧が付与される場合について説明したが、背面組合せで配置されるものであれば、下部転がり軸受１３及び上部転がり軸受１４は、定圧予圧が付与される構成であってもよい。この場合、下部転がり軸受１３及び上部転がり軸受１４の各外輪２１，２２の対向する内側面２１ａ，２２ａと、各内輪２３，２４の軸方向外側面２３ａ，２４ａの少なくとも一か所には、ばね部材３５が当接している。
【００２１】
即ち、図２（ａ）に示す第１変形例の歯科エアタービン１０のように、下部転がり軸受１３及び上部転がり軸受１４の各外輪２１，２２の対向する側面と、第１及び第２ハウジング１６，１７に設けられたリブ３２，３４との間にばね部材３５（板バネ、スプリングワッシャ）がそれぞれ配置され、各内輪２３，２４は、回転軸１１に嵌合固定される。これにより、下部転がり軸受１３及び上部転がり軸受１４は、背面組合せで配置され、定圧予圧が付与されている。
【００２２】
または、図２（ｂ）に示す第２変形例の歯科エアタービン１０のように、下部転がり軸受１３及び上部転がり軸受１４の各外輪２１，２２の対向する側面は、前記ハウジングに設けられたリブ３２，３４と当接し、各内輪２３，２４は、各内輪２３，２４の軸方向外側面２３ａ，２４ａをばね部材３５（板バネ、スプリングワッシャ）を介して固定リング３６を回転軸１１にそれぞれ固定することで、回転軸１１に嵌合される。この場合にも、下部転がり軸受１３及び上部転がり軸受１４は、背面組合せで配置され、定圧予圧が付与されている。
【００２３】
また、図３（ａ）に示す第３変形例の歯科エアタービン１０のように、下部転がり軸受１３及び上部転がり軸受１４の各外輪２１，２２の対向する側面と、第１及び第２ハウジング１６，１７に設けられたリブ３２，３４との間のいずれか一方にのみばね部材３５が配置され、各内輪２３，２４は、回転軸１１に嵌合固定される。この場合にも、下部転がり軸受１３及び上部転がり軸受１４は、背面組合せで配置され、定圧予圧が付与されている。
【００２４】
また、図３（ｂ）に示す第４変形例の歯科エアタービン１０のように、下部転がり軸受１３及び上部転がり軸受１４の各外輪２１，２２の対向する側面は、第１及び第２ハウジング１６，１７に設けられたリブ３２，３４と当接し、各内輪２３，２４は、各内輪２３，２４の軸方向外側面２３ａ，２４ａのいずれか一方のみをばね部材３５を介して固定リング３６を回転軸１１に固定して回転軸１１に嵌合し、他方の内輪２３，２４は、回転軸１１に嵌合固定される。この場合にも、下部転がり軸受１３及び上部転がり軸受１４は、背面組合せで配置され、定圧予圧が付与されている。
【００２５】
さらに、図４に示す第５変形例の歯科エアタービン１０のように、下部転がり軸受１３及び上部転がり軸受１４の各外輪２１，２２の対向する側面と、第１及び第２ハウジング１６，１７に設けられたリブ３２，３４との間のいずれか一方にのみばね部材３５が配置され、各内輪２３，２４は、各内輪２３，２４の軸方向外側面２３ａ，２４ａのいずれか一方のみをばね部材３５を介して固定リング３６を回転軸１１に固定して回転軸１１に嵌合し、他方の内輪２３，２４は、回転軸１１に嵌合固定される。この場合にも、下部転がり軸受１３及び上部転がり軸受１４は、背面組合せで配置され、定圧予圧が付与されている。
【００２６】
（第２実施形態）
図５は、第２実施形態に係る歯科エアタービン用軸受ユニットの要部半断面図であり、図６は、図５のタービンブレードが位置する軸方向位置での概略断面図である。本実施形態の歯科エアタービン１０は、回転軸１１、タービンブレード１２、一対の転がり軸受１３，１４、及びスリーブ（スペース部材）４１が、歯科エアタービン用軸受ユニット２０としてユニット化されてハウジング１５に配設されている。
【００２７】
下部転がり軸受１３及び上部転がり軸受１４は、各外輪２１，２２の外径Ｄ１が、タービンブレード１２の外径Ｄ２より大きく設定され、回転軸１１の中央に固定されたタービンブレード１２の両側に、背面組合せで配置されて回転軸１１を回転自在に支承する。
【００２８】
下部転がり軸受１３及び上部転がり軸受１４の各外輪２１，２２が内嵌するスリーブ４１は、軸方向中央に内径側に突出する段部４２を有し、各外輪２１，２２の内側面２１ａ，２２ａが当接している。また、図５及び図６に示すように、スリーブ４１には、タービンブレード１２に対向する位置に、圧縮空気をタービンブレード１２に供給するための給気孔部４３と、排気のための排気孔部４４とが設けられている。
【００２９】
下部転がり軸受１３及び上部転がり軸受１４では、各外輪２１，２２は、これらの内側面２１ａ，２２ａがスリーブ４１の段部４２に当接した状態でスリーブ４１に嵌合し、さらに予圧が付与されるように内輪２３，２４を回転軸１１に嵌合固定することで、背面組合せで配置された歯科エアタービン用軸受ユニット２０が構成される。この歯科エアタービン用軸受ユニット２０は、図５（ｂ）に示すように、ハウジング１５に組み込まれる。なお、外輪２１，２２は、従来と同様に、すきま嵌めや、Ｏリング７２を介してスリーブ４１に固定されてもよい（図７に示す第１変形例参照）。
【００３０】
以上説明したように、本実施形態の歯科エアタービン用軸受ユニット２０によれば、下部転がり軸受１３及び上部転がり軸受１４は、各外輪２１，２２をスリーブ４１に嵌合させ、予圧が付与されるように、各内輪２３，２４を回転軸１１に嵌合して、背面組合せで配置される。したがって、下部転がり軸受１３及び上部転がり軸受１４に予圧を付与して回転軸１１のモーメント荷重に対する負荷能力を向上させることができる。また、タービンブレード１２を有する回転軸１１と、下部及び上部転がり軸受１３，１４とをユニット化することができ、歯科エアタービン１０のハウジング１５への組み付けが容易となる。
【００３１】
また、下部転がり軸受１３及び上部転がり軸受１４の各外輪２１，２２の対向する内側面２１ａ，２２ａは、スリーブ４１の軸方向側面と当接させ、各内輪２３，２４は、回転軸１１に嵌合固定されるため、簡単な構成で、背面組合せされた一対の下部転がり軸受１３及び上部転がり軸受１４に定位置予圧を付与することができる。
【００３２】
また、各外輪２１，２２の外径Ｄ１は、タービンブレード１２の外径Ｄ２より大きく、スリーブ４１は、ハウジング１５に固定され、タービンブレード１２にエアを供給する給気孔部４３と、エアを排出する排気孔部４４と、内径側に外輪２１，２２の内側面２１ａ，２２ａに当接する段部４２とを有するため、一対の外輪２１，２２の内側面２１ａ，２２ａをスリーブ４１に当接して位置を規制して、簡単な構造で背面組合せされた一対の転がり軸受１３，１４に予圧を付与することができ、精度の高い軸受ユニット２０を構成することができ、装置としてのコストが抑制される。
【００３３】
なお、図５では、タービンブレード１２は、下部転がり軸受１３及び上部転がり軸受１４との間に配置されているが、図８（ａ）に示す第２変形例のように、下部転がり軸受１３よりも下方で回転軸１１に固定されてもよいし、上部転がり軸受１４よりも上方で回転軸１１に固定されてもよい。或いは、図８（ｂ）に示す第３変形例のように、下部転がり軸受１３及び上部転がり軸受１４の軸方向両外側に、一対のタービンブレード１２ａ，１２ｂが回転軸１１に固定されてもよい。
【００３４】
即ち、図８（ａ）に示す第２変形例の歯科エアタービン用軸受ユニット２０では、下部転がり軸受１３及び上部転がり軸受１４の各外輪２１，２２の内側面２１ａ，２２ａが、スリーブ５１の内径側に突出する段部５２に当接され、下部転がり軸受１３及び上部転がり軸受１４が背面組合せで隣接配置される。また、スリーブ５１には、タービンブレード１２に対向して、圧縮空気をタービンブレード１２に供給するための給気孔部５３と、エア排出のための排気孔部（図示せず）とが設けられている。
【００３５】
また、図８（ｂ）に示す第３変形例の歯科エアタービン用軸受ユニット２０では、下部転がり軸受１３及び上部転がり軸受１４の各外輪２１，２２の内側面２１ａ，２２ａが、スリーブ５５の中央から内径側に突出する段部５６に当接され、下部転がり軸受１３及び上部転がり軸受１４が背面組合せで隣接配置される。また、スリーブ５５には、タービンブレード１２ａ，１２ｂに対向して、圧縮空気をタービンブレード１２ａ，１２ｂに供給するための給気孔部５７ａ，５７ｂと、エア排出のための排気孔部（図示せず）とが設けられている。
【００３６】
また、図５では、各外輪２１，２２の外径Ｄ１は、タービンブレード１２の外径Ｄ２より大きくしているが、少なくとも一方の外輪２１，２２の外径Ｄ１が、タービンブレード１２の外径Ｄ２より大きくすればよい。例えば、図９に示す第４変形例の歯科エアタービン用軸受ユニット２０では、下部転がり軸受１３と上部転がり軸受１４との間にタービンブレード１２が配置されおり、下部転がり軸受１３の外輪２１の外径Ｄ３は、タービンブレード１２の外径Ｄ２より小さく、且つ上部転がり軸受１４の外輪２２の外径Ｄ１は、タービンブレード１２の外径Ｄ２より大きく設定されている。
【００３７】
また、下部転がり軸受１３及び上部転がり軸受１４の外輪２１，２２が内嵌するスリーブ６１には、下部転がり軸受１３、タービンブレード１２、及び上部転がり軸受１４にそれぞれ対応して、小径穴部６２、中径穴部６３、及び大径穴部６４が形成されている。下部転がり軸受１３の外輪２１は、小径穴部６２に嵌合し、外輪２１の内側面２１ａが小径穴部６２から内径側に突出する段部６５に当接している。また、上部転がり軸受１４の外輪２２は、大径穴部６４に嵌合し、外輪２２の内側面２２ａが中径穴部６３と大径穴部６４との段部６６に当接して、内輪２３，２４を回転軸１１に嵌合固定することで、下部転がり軸受１３及び上部転がり軸受１４に予圧が付与されている。また、スリーブ６１には、タービンブレード１２に対向して、圧縮空気をタービンブレード１２に供給するための給気孔部６７と、エア排出のための排気孔部（図示せず）とが設けられている。
【００３８】
なお、第４変形例の構成は、図５の第２実施形態や、図８（ａ）、（ｂ）の第２、第３変形例の歯科エアタービン用軸受ユニット２０にも適用することもできる。
【００３９】
また、図８（ａ）、（ｂ）の第２、第３変形例のような歯科エアタービン用軸受ユニット２０では、各外輪２１，２２の外径Ｄ１は、タービンブレード１２の外径Ｄ２より小さくしてもよく、例えば、通常使用される軸受より小型の転がり軸受が適用されてもよい。具体的に、図１０（ａ）に示す第５変形例の歯科エアタービン用軸受ユニット２０では、図８（ａ）に示すタービンブレード１２と同じ大きさのタービンブレード１２が使用される一方、小型の転がり軸受１３、１４が使用されている。これにより、図８（ａ）の第２変形例の歯科エアタービン用軸受ユニット２０と比較して、回転軸１１、タービンブレード１２、及びスリーブ５１の外径は同じであるが、スリーブ５１や回転軸１１の軸方向長さを短縮することができ、回転性能を向上することができる。
【００４０】
また、図１０（ｂ）に示す第６変形例の歯科エアタービン用軸受ユニット２０では、回転軸１１の外径は、図８（ａ）に示す回転軸１１と同じ大きさであるが、小型の転がり軸受１３、１４が使用されることで、タービンブレード１２が外径及び長さにおいて小さくされ、スリーブ５１の外径及び長さや回転軸１１の長さも小さくなり、全体として小型化されている。これにより、タービンブレード１２を小さくしても、軸受サイズが小さくなったので、回転性能や機能を維持することができる。
【００４１】
さらに、本実施形態のスリーブを有する歯科エアタービン用軸受ユニット２０は、弾性部材を介してハウジング１５に組み込まれてもよい。例えば、図１１に示す第７変形例の歯科エアタービン用軸受ユニット２０は、図５の歯科エアタービン用軸受ユニット２０に適用された例であり、外輪２２に対応する側のスリーブ４１の外周面４１ａにＯリング溝４１ｂが設けられ、また、外輪２１に対応する側のハウジング１５の内周面１５ａにＯリング溝１５ｂが設けられている。Ｏリング溝１５ｂ，４１ｂには、それぞれＯリング７０が装着されてスリーブ４１とハウジング１５とが嵌合している。また、スリーブ４１の軸方向外端面とハウジング１５の軸方向内端面との間にも、Ｏリング７１が装着されてもよい。これにより、高速回転する回転軸１１の振動がハウジング１５に伝達されることを抑制することができる。
【００４２】
なお、Ｏリング溝１５ｂ，４１ｂは、ハウジング１５の内周面１５ａ及びスリーブ４１の外周面４１ａに１つずつ形成されているとして説明したが、ハウジング１５の内周面１５ａ、又はスリーブ４１の外周面４１ａのいずれか一方に２つ設けられていてもよい。
【００４３】
なお、第７変形例の構成は、第１〜第６変形例の歯科エアタービン用軸受ユニット２０にも適用することができる。
【００４４】
また、本実施形態においても、下部転がり軸受１３及び上部転がり軸受１４は、背面組合せで配置されるものであれば、定圧予圧が付与される構成であってもよい。この場合にも、下部転がり軸受１３及び上部転がり軸受１４の各外輪２１，２２の対向する内側面２１ａ，２２ａと、各内輪２３，２４の軸方向外側面２３ａ，２４ａの少なくとも一か所には、ばね部材３５が当接している。
【００４５】
即ち、図１２（ａ）に示す第８変形例の歯科エアタービン用軸受ユニット２０のように、下部転がり軸受１３及び上部転がり軸受１４の各外輪２１，２２の対向する側面と、スリーブ４１の段部４２の軸方向側面との間にばね部材３５（板バネ、スプリングワッシャ）がそれぞれ配置され、各内輪２３，２４は、回転軸１１に嵌合固定される。これにより、下部転がり軸受１３及び上部転がり軸受１４は、背面組合せで配置され、定圧予圧が付与されている。
【００４６】
または、図１２（ｂ）に示す第９変形例の歯科エアタービン用軸受ユニット２０のように、下部転がり軸受１３及び上部転がり軸受１４の各外輪２１，２２の対向する側面は、スリーブ４１の段部４２の軸方向側面と当接し、各内輪２３，２４は、各内輪２３，２４の軸方向外側面２３ａ，２４ａをばね部材３５（板バネ、スプリングワッシャ）を介して固定リング３６を回転軸１１にそれぞれ固定することで、回転軸１１に嵌合される。この場合にも、下部転がり軸受１３及び上部転がり軸受１４は、背面組合せで配置され、定圧予圧が付与されている。
【００４７】
また、図１３（ａ）に示す第１０変形例の歯科エアタービン用軸受ユニット２０のように、下部転がり軸受１３及び上部転がり軸受１４の各外輪２１，２２の対向する側面と、スリーブ４１の段部４２の軸方向側面との間のいずれか一方にのみばね部材３５が配置され、各内輪２３，２４は、回転軸１１に嵌合固定される。この場合にも、下部転がり軸受１３及び上部転がり軸受１４は、背面組合せで配置され、定圧予圧が付与されている。
【００４８】
または、図１３（ｂ）に示す第１１変形例の歯科エアタービン用軸受ユニット２０のように、下部転がり軸受１３及び上部転がり軸受１４の各外輪２１，２２の対向する側面は、スリーブ４１の段部４２の軸方向側面と当接し、各内輪２３，２４は、各内輪２３，２４の軸方向外側面２３ａ，２４ａのいずれか一方のみをばね部材３５を介して固定リング３６を回転軸１１に固定して回転軸１１に嵌合し、他方の内輪２３，２４は、回転軸１１に嵌合固定される。この場合にも、下部転がり軸受１３及び上部転がり軸受１４は、背面組合せで配置され、定圧予圧が付与されている。
【００４９】
さらに、図１４に示す第１２変形例の歯科エアタービン用軸受ユニット２０のように、下部転がり軸受１３及び上部転がり軸受１４の各外輪２１，２２の対向する側面と、スリーブ４１の段部４２の軸方向側面との間のいずれか一方にのみばね部材３５が配置され、各内輪２３，２４は、各内輪２３，２４の軸方向外側面２３ａ，２４ａのいずれか一方のみをばね部材３５を介して固定リング３６を回転軸１１に固定して回転軸１１に嵌合し、他方の内輪２３，２４は、回転軸１１に嵌合固定される。この場合にも、下部転がり軸受１３及び上部転がり軸受１４は、背面組合せで配置され、定圧予圧が付与されている。
【００５０】
なお、第８〜第１２変形例の構成は、第１〜第７変形例の歯科エアタービン用軸受ユニット２０にも適用することができる。
【００５１】
（第３実施形態）
図１５は、第３実施形態に係る歯科エアタービン用軸受ユニットの要部半断面図であり、本実施形態の歯科エアタービン１０は、回転軸１１、タービンブレード１２、一対の転がり軸受１３，１４、及び外輪間座（スペース部材）４５が、歯科エアタービン用軸受ユニット２０としてユニット化されてハウジング１５に配設されている。
【００５２】
下部転がり軸受１３及び上部転がり軸受１４は、各外輪２１，２２の外径Ｄ１が、タービンブレード１２の外径Ｄ２より大きく設定され、回転軸１１の中央に固定されたタービンブレード１２の両側に、背面組合せで配置されて回転軸１１を回転自在に支承する。
【００５３】
外輪間座４５は、下部転がり軸受１３及び上部転がり軸受１４の各外輪２１，２２との間に配置され、外輪間座４５の軸方向側面に各外輪２１，２２の内側面２１ａ，２２ａがそれぞれ当接している。また、外輪間座４５には、タービンブレード１２に対向する位置に、圧縮空気をタービンブレード１２に供給するための給気孔部４６と、エア排出のための排気孔部（図示せず）とが設けられている。
【００５４】
下部転がり軸受１３及び上部転がり軸受１４では、各外輪２１，２２が外輪間座４５を挟持した状態で、予圧が付与されるように内輪２３，２４を回転軸１１に嵌合固定することで、背面組合せで配置された歯科エアタービン用軸受ユニット２０が構成される。
【００５５】
以上説明したように、本実施形態の歯科エアタービン用軸受ユニット２０によれば、下部転がり軸受１３及び上部転がり軸受１４は、各外輪２１，２２が外輪間座４５を挟持し、予圧が付与されるように、各内輪２３，２４を回転軸１１に嵌合して、背面組合せで配置される。したがって、下部転がり軸受１３及び上部転がり軸受１４に予圧を付与して回転軸１１のモーメント荷重に対する負荷能力を向上させることができる。また、タービンブレード１２を有する回転軸１１と、下部及び上部転がり軸受１３，１４とをユニット化することができ、歯科エアタービン１０のハウジング１５への組み付けが容易となる。
【００５６】
また、外輪２１，２２の外径Ｄ１は、タービンブレード１２の外径Ｄ２より大きく、一対の外輪２１，２２間に外輪間座４７が配置されるため、歯科エアタービン用軸受ユニット２０の構成を簡素化することができる。
その他の構成及び作用は、第２実施形態の歯科エアタービン用軸受ユニット２０と同様であるので説明を省略する。
【００５７】
なお、図１５では、タービンブレード１２は、下部転がり軸受１３及び上部転がり軸受１４との間に配置されているが、図１６（ａ）に示す第１変形例のように、下部転がり軸受１３よりも下方で回転軸１１に固定されてもよいし、上部転がり軸受１４よりも上方で回転軸１１に固定されてもよい。或いは、図１６（ｂ）に示す第２変形例のように、下部転がり軸受１３及び上部転がり軸受１４の軸方向両外側に、一対のタービンブレード１２ａ，１２ｂが回転軸１１に固定されてもよい。
【００５８】
即ち、図１６（ａ）に示す第１変形例、及び図１６（ｂ）に示す第２変形例のいずれの歯科エアタービン用軸受ユニット２０においても、外輪間座４７が各外輪２１，２２に挟持されて、内輪２３，２４を回転軸１１に固定することで、予圧が付与され、下部転がり軸受１３及び上部転がり軸受１４が背面組合せで隣接配置される。
【００５９】
また、本実施形態の外輪間座を有する歯科エアタービン用軸受ユニット２０は、弾性部材を介してハウジングに組み込まれてもよい。例えば、図１７に示す第３変形例の歯科エアタービン用軸受ユニット２０は、図１６（ａ）の歯科エアタービン用軸受ユニット２０に適用された例であり、外輪２２の外周面２２ｂに、Ｏリング溝２２ｃが設けられ、また、外輪２１に対応するハウジング１５の内周面１５ａにＯリング溝１５ｂが設けられている。Ｏリング溝２２ｃ，１５ｂには、それぞれＯリング７０が装着されて外輪２１，２２がハウジング１５に嵌合している。
【００６０】
なお、Ｏリング溝１５ｂ，２２ｃは、ハウジング１５の内周面１５ａ及び外輪２２の外周面２２ｂに１つずつ形成されているとして説明したが、ハウジング１５の内周面１５ａに２つ設けてもよく、また、外輪２１，２２の外周面にそれぞれ設けてもよい。
【００６１】
なお、第３変形例の構成は、第１、第２変形例の歯科エアタービン用軸受ユニット２０にも適用することもできる。
【００６２】
また、本実施形態の外輪間座を有する歯科エアタービン用軸受ユニット２０においても、第２実施形態と同様に、下部転がり軸受１３及び上部転がり軸受１４は、背面組合せで配置されるものであれば、定圧予圧が付与される構成であってもよい。この場合にも、下部転がり軸受１３及び上部転がり軸受１４の各外輪２１，２２の対向する内側面２１ａ，２２ａと、各内輪２３，２４の軸方向外側面２３ａ，２４ａの少なくとも一か所には、ばね部材が当接される。
【００６３】
尚、本発明は、前述した各実施形態に限定されるものではなく、適宜、変形、改良、等が可能である。
たとえば、転がり軸受を構成する玉軸受としては、外輪または内輪にカウンターボアを有するアンギュラ玉軸受であってもよいし、カウンターボアを有しない深溝玉軸受であってもよい。また、保持器やシール部材の種類や配置も適宜変更してもよい。
【符号の説明】
【００６４】
１０     歯科エアタービン
１１     回転軸
１２，１２ａ，１２ｂ   タービンブレード
１３     下部転がり軸受（転がり軸受）
１４     上部転がり軸受（転がり軸受）
１５     ハウジング
２０     歯科エアタービン用軸受ユニット
２１，２２      外輪
２１ａ，２２ａ         内側面
２１ｂ，２２ｂ         外周面
２３，２４      内輪
３２，３４      リブ（段部）
３５     ばね部材
４１，５１，５５，６１        スリーブ（スペース部材）
４１ａ   外周面
４２，５２，５６，６５，６６         段部
４３，４６，５３，５７ａ，５７ｂ，６７      給気孔部
４４     排気孔部
４５，４７      外輪間座（スペース部材）
７０     Ｏリング（弾性部材）
Ｄ１，Ｄ３      外輪の外径
Ｄ２     タービンブレードの外径
【図１】
2015087013.tif 000003
【図２】
2015087013.tif 000004
【図３】
2015087013.tif 000005
【図４】
2015087013.tif 000006
【図５】
2015087013.tif 000007
【図６】
2015087013.tif 000008
【図７】
2015087013.tif 000009
【図８】
2015087013.tif 000010
【図９】
2015087013.tif 000011
【図１０】
2015087013.tif 000012
【図１１】
2015087013.tif 000013
【図１２】
2015087013.tif 000014
【図１３】
2015087013.tif 000015
【図１４】
2015087013.tif 000016
【図１５】
2015087013.tif 000017
【図１６】
2015087013.tif 000018
【図１７】
2015087013.tif 000019
【図１８】
2015087013.tif 000020
【図１９】
2015087013.tif 000021